(57)【要約】【課題】計量カップの内側空間を有効に利用することができ、多様な使い方を行うことに適した計量容器を提供する。【解決手段】内容物が収容されるスクイズ変形可能な容器本体１０と、容器本体１０の口部１１ａに装着された有底筒状の本体筒部１２と、本体筒部１２の底部１２ａから下方に向けて延び、本体筒部１２内と容器本体１０内とを連通する供給筒部１３と、を備え、本体筒部１２内に有底筒状の計量カップ１５が配設され、本体筒部１２の内面と計量カップ１５の外面との間に、供給筒部１３内に連通する連絡通路１６が形成され、計量カップ１５の周壁部１５ｆには、計量カップ１５内と連絡通路１６とを連通する連通孔１５ｇが形成されている。【選択図】図１
2018034864.tif 000002
【特許請求の範囲】
【請求項１】
内容物が収容されるスクイズ変形可能な容器本体と、
前記容器本体の口部に装着された有底筒状の本体筒部と、
前記本体筒部の底部から下方に向けて延び、前記本体筒部内と前記容器本体内とを連通する供給筒部と、を備え、
前記本体筒部内に有底筒状の計量カップが配設され、
前記本体筒部の内面と前記計量カップの外面との間に、前記供給筒部内に連通する連絡通路が形成され、
前記計量カップの周壁部には、前記計量カップ内と前記連絡通路とを連通する連通孔が形成されていることを特徴とする計量容器。
【請求項２】
前記計量カップの底部には、前記連絡通路に連通する回収孔が形成されるとともに、前記回収孔を開閉する弁体が配設され、
前記本体筒部には、前記弁体を操作して前記回収孔を開放可能な操作体が配設されていることを特徴とする請求項１に記載の計量容器。
【請求項３】
前記連絡通路のうち、前記回収孔と上下方向で対向する部分に、下方に窪む溜まり部が形成されていることを特徴とする請求項２に記載の計量容器。
【発明の詳細な説明】
【技術分野】
【０００１】
本発明は、計量容器に関するものである。
【背景技術】
【０００２】
従来から、例えば下記特許文献１に示されるように、内容物が収容されるスクイズ変形可能な容器本体と、容器本体の口部に装着された有底筒状の本体筒部と、本体筒部の底部から下方に向けて延び、本体筒部内と容器本体内とを連通する供給筒部と、を備えた計量容器が知られている。
本体筒部内には、本体筒部内に配設された有底筒状の計量カップの底部から上方に向けて延び、内側が供給筒部内に連通し、且つ上端部に吐出孔が形成された吐出筒部が配設されている。
【０００３】
この計量容器によれば、容器本体をスクイズ変形させて内圧を上昇させることにより、容器本体内の内容物を、供給筒部内および吐出筒部内をこの順に通過させ、吐出孔から本体筒部内に配設された計量カップ内に吐出することができる。これにより、例えば計量しながら計量カップに内容物を貯留することができ、定量の内容物を使用することが可能になる。
【先行技術文献】
【特許文献】
【０００４】
【特許文献１】特開平９−６６９５６号公報
【発明の概要】
【発明が解決しようとする課題】
【０００５】
しかしながら、前記従来の計量容器では、計量カップの内側に吐出筒部が配設されているので、計量カップの内側空間を有効に利用することが困難である。
従って、例えば計量カップ内に貯留された内容物を含浸体に含浸させようとした場合、吐出筒部が邪魔となってしまい、含浸体を内容物中に浸漬させることが困難であった。また、含浸体を内容物中に浸漬できたとしても、内容物が含浸されることで膨張するような含浸体等を使用した場合には、その膨張によって含浸体等が吐出筒部と計量カップとの間に挟まれて、含浸体等を計量カップ内から取出しにくくなることも考えられる。
このように、従来の計量容器では、計量カップの内側空間を有効に利用することができないので、多様な使い方を行い難かった。
【０００６】
本発明は、このような事情に鑑みてなされたものであって、その目的は、計量カップの内側空間を有効に利用することができ、例えば計量後の内容物を含浸体に含浸させる等、多様な使い方を行うことに適した計量容器を提供することである。
【課題を解決するための手段】
【０００７】
前記課題を解決するために、本発明に係る計量容器は、内容物が収容されるスクイズ変形可能な容器本体と、前記容器本体の口部に装着された有底筒状の本体筒部と、前記本体筒部の底部から下方に向けて延び、前記本体筒部内と前記容器本体内とを連通する供給筒部と、を備え、前記本体筒部内に有底筒状の計量カップが配設され、前記本体筒部の内面と前記計量カップの外面との間に、前記供給筒部内に連通する連絡通路が形成され、前記計量カップの周壁部には、前記計量カップ内と前記連絡通路とを連通する連通孔が形成されていることを特徴とする。
【０００８】
この発明によれば、容器本体をスクイズ変形させて内圧を上昇させることにより、容器本体内の内容物を、供給筒部内、連絡通路、および連通孔をこの順に通過させて計量カップ内に供給することができる。
そしてこの際、本体筒部の内面と、計量カップの外面と、の間に形成された連絡通路を通して、供給筒部内と計量カップ内とを連通しているので、計量カップに、その内側に向けて突出し、かつ内側が供給筒部内に連通する吐出筒部を配設する必要が無い。このため、計量カップの内容積を広く確保することが可能になり、内容物を含浸させる含浸体を計量カップ内に容易に配置することができ、また、仮に内容物が含浸されることで膨張するような含浸体を使用したとしても、膨張によって含浸体が計量カップ内から取出しにくくなるのを防ぐことができる。
【０００９】
また、計量カップの周壁部に、計量カップ内と連絡通路とを連通する連通孔が形成されているので、連通孔を計量カップ内の底面から上方に離間させることが可能になり、容器本体のスクイズ変形を解除したときに、計量カップ内の内容物が連通孔を通して容器本体側に逆流しにくくすることができる。
また、計量カップの周壁部に連通孔が形成されていることから、液面が連通孔に達する量の内容物が計量カップ内に供給されたとしても、容器本体内の負圧を供給筒部、連絡通路、および連通孔を通して計量カップ内に及ぼすことによって、連通孔の下端より上方に位置する内容物を容器本体内に吸い込むことができる。これにより計量カップ内に一定量以下の内容物を供給することができる。
以上により、計量カップ内に含浸体を容易に配置することができるとともに、内容物を含浸させた含浸体が、計量カップ内から取出しにくくなることもなく、計量カップの内側空間を有効に利用することができる。
【００１０】
また、前記計量カップの底部には、前記連絡通路に連通する回収孔が形成されるとともに、前記回収孔を開閉する弁体が配設され、前記本体筒部には、前記弁体を操作して前記回収孔を開放可能な操作体が配設されてもよい。
この場合には、計量カップの底部に、回収孔が形成されるとともに、回収孔を開閉する弁体が配設され、本体筒部に、弁体を操作して回収孔を開放可能な操作体が配設されている。このため、例えば計量カップ内の内容物の量を減らしたいときや、計量カップ内の内容物を含浸体に含浸させてもなお、計量カップ内に内容物が残存しているときに、操作体により弁体を操作することで回収孔を開放し、計量カップ内の内容物を、回収孔を通して連絡通路に回収することができる。
【００１１】
また、前記連絡通路のうち、前記回収孔と上下方向で対向する部分に、下方に窪む溜まり部が形成されてもよい。
この場合には、回収孔と上下方向で対向する部分に、下方に窪む溜まり部が形成されているので、回収孔を通して回収した内容物を溜まり部に貯留することが可能になり、計量カップから回収孔を通して回収できる内容物の量を確保することができる。
【００１２】
また、供給筒部内から連絡通路に流入した内容物が、連絡通路を連通孔に向けて流通する過程において、流路断面積が広い溜まり部を通過することで、内容物の勢いを弱めた後に、連通孔に到達させることができる。これにより、計量カップ内に流入する内容物の勢いを抑制することが可能になり、計量カップの外側に内容物が飛散するのを防ぐことができる。
【発明の効果】
【００１３】
本発明によれば、計量カップの内側空間を有効に利用することができる。
【図面の簡単な説明】
【００１４】
【図１】本発明の第一実施形態に係る計量容器を示す半縦断面図である。
【図２】図１に示す計量容器の使用状態を示す図である。
【図３】本発明の第二実施形態に係る計量容器の使用状態を示す縦断面図である。
【図４】本発明の第二実施形態に係る計量容器において、キャップを除いた状態を示す上面図である。
【発明を実施するための形態】
【００１５】
以下、図１および図２を参照して、本発明の第一実施形態に係る計量容器１について説明する。
計量容器１は、内容物が収容されるスクイズ変形可能な有底筒状の容器本体１０と、容器本体１０の口部１１ａに装着された有底筒状の本体筒部１２と、本体筒部１２の底部から容器本体１０の内部に向けて延びる供給筒部１３と、を備えている。容器本体１０、本体筒部１２、および供給筒部１３は、それぞれの中心軸線を共通軸上に位置させた状態で配設されている。
【００１６】
以下、上述した共通軸を容器軸Ｏといい、容器軸Ｏに沿う方向を上下方向という。また、上下方向に沿って本体筒部１２側を上側、容器本体１０の底部側を下側といい、上下方向から見た平面視で、容器軸Ｏに直交する方向を径方向といい、容器軸Ｏ回りに周回する方向を周方向という。
なお、内容物としては特に限定されるものではないが、例えば、化粧水、保湿液、美容液、洗剤液、傷薬等の薬液、消臭液、および揮散剤を含む芳香液等の各種液体が挙げられる。
【００１７】
容器本体１０は、口部１１ａ、肩部１１ｂ、図示されない胴部、および底部を備え、これらが上方から下方に向けてこの順に連設されて構成されている。容器本体１０のうち、少なくとも胴部がスクイズ変形可能に形成されている。口部１１ａの外周面には、雄ねじ部１１ｃが形成されている。
【００１８】
本体筒部１２は有底筒状をなし、外部から内部を視認できる透明若しくは半透明の合成樹脂材料により形成されている。本体筒部１２の底部１２ａには、下方に向けて突出し、容器本体１０の口部１１ａに装着される装着筒１２ｂが形成されている。装着筒１２ｂは容器軸Ｏと同軸に配置されている。装着筒１２ｂの内周面には、口部１１ａの雄ねじ部１１ｃと螺合する雌ねじ部１２ｃが形成されている。
【００１９】
本体筒部１２の底部１２ａには、下方に向けて突出するシール筒１２ｄが形成されている。シール筒１２ｄは、装着筒１２ｂの径方向の内側に配置されている。シール筒１２ｄは容器本体１０の口部１１ａ内に嵌合され、容器軸Ｏと同軸に配置されている。装着筒１２ｂおよびシール筒１２ｄにより、容器本体１０の口部１１ａが全周にわたって径方向に挟み込まれている。
本体筒部１２の底部１２ａにおける径方向の中央部には、下方に向けて突出する内筒１２ｅが形成されている。
【００２０】
本体筒部１２の外周面の上部には、径方向の外側に向けて突出し、周方向に連続して延びる本体フランジ部１２ｆが形成されている。また、本体筒部１２の外周面のうち、本体フランジ部１２ｆの上方に位置する部分には、キャップ用雄ねじ部１２ｇが形成されている。キャップ用雄ねじ部１２ｇに、有頂筒状のキャップ１４が着脱自在に螺着されている。
本体筒部１２の外周面には、計量目盛１２ｈが形成されている。本体筒部１２の外部から、後述する計量カップ１５内の内容物の液面、および計量目盛１２ｈの高さ位置を見比べることで、計量カップ１５内の内容物の量を特定することができる。計量目盛１２ｈは複数形成され、上方に位置する計量目盛１２ｈは、後述する連通孔１５ｇの下端と、上下方向の位置が同等となっている。
【００２１】
本体筒部１２の底部１２ａにおいて、内筒１２ｅより径方向の内側に位置する部分には、底部１２ａを上下方向に貫く貫通孔１２ｉが形成されている。貫通孔１２ｉは、容器軸Ｏと同軸に配置されている。貫通孔１２ｉの内径は、内筒１２ｅの内径より小さい。貫通孔１２ｉにより、本体筒部１２内と容器本体１０内とが連通している。
本体筒部１２内の底面における外周縁部に、上方に向けて突出する段部１２ｊが形成されている。
【００２２】
本体筒部１２の内周面における下端部には、径方向の内側に向けて突出する保持リブ１２ｋが形成されている。保持リブ１２ｋの下端は、段部１２ｊの上面に接続されている。保持リブ１２ｋの上端部は、上方に向かうに従い漸次、径方向の外側に向けて延びている。保持リブ１２ｋは、周方向に間隔を空けて複数形成されている。保持リブ１２ｋは、表裏面が周方向を向く板状に形成されている。保持リブ１２ｋにおける径方向の内端縁のうち、上端部より下方に位置する部分に、径方向の内側に向けて突出する被係止突部１２ｍが形成されている。
【００２３】
供給筒部１３は上下方向に延びる筒状をなしている。供給筒部１３の上端部は、本体筒部１２の内筒１２ｅ内に嵌合されている。供給筒部１３の下端部は、容器本体１０の底部に当接或いは近接している。供給筒部１３は、本体筒部１２内と容器本体１０内とを連通している。なお、供給筒部１３は本体筒部１２の底部と一体に形成されていてもよい。
本体筒部１２内には、有底筒状の計量カップ１５が配設されている。
【００２４】
計量カップ１５は容器軸Ｏと同軸に配設されている。計量カップ１５は、外部から内部を視認できる透明若しくは半透明の合成樹脂材料により形成されている。計量カップ１５は、有底筒状の小径筒部１５ａと、小径筒部１５ａの上方に位置し、内径が小径筒部１５ａの外径以上の大径筒部１５ｂと、を備えている。大径筒部１５ｂの外周面は、本体筒部１２の内周面と当接している。
大径筒部１５ｂの下端部は、下方に向かうに従い漸次、径方向の内側に向けて延びている。小径筒部１５ａの外周面と、本体筒部１２の内周面と、は径方向に隙間をあけて対向している。小径筒部１５ａの底部と、本体筒部１２の底部と、は上下方向に隙間をあけて対向している。
【００２５】
小径筒部１５ａの底部における外周縁部には、下方に向けて突出する載置突部１５ｃが形成されている。載置突部１５ｃは、全周にわたって連続して延びており、本体筒部１２の底部１２ａにおける段部１２ｊ上に載置されている。載置突部１５ｃには、載置突部１５ｃを径方向に貫く流通孔１５ｄが、周方向に間隔をあけて複数形成されている。
【００２６】
小径筒部１５ａの下端部における外周面には、径方向の内側に向けて窪む窪み部１５ｅが形成されている。窪み部１５ｅ内に本体筒部１２における保持リブ１２ｋの被係止突部１２ｍが進入している。小径筒部１５ａの外周面において、窪み部１５ｅに窪み部１５ｅの下方から連なる部分に、径方向の外側に向けて突出する係止突部１５ｈが形成されている。
係止突部１５ｈは、本体筒部１２の被係止突部１２ｍに、被係止突部１２ｍの下方から当接することで、計量カップ１５を上下方向に係止している。すなわち、計量カップ１５が本体筒部１２内にアンダーカット嵌合されている。
【００２７】
そして本実施形態では、本体筒部１２の内面と計量カップ１５の外面との間に、供給筒部１３内に連通する連絡通路１６が形成されている。連絡通路１６は、本体筒部１２の内面と計量カップ１５の外面との間に全周にわたって形成されている。連絡通路１６は、本体筒部１２内の底面と、計量カップ１５における小径筒部１５ａの底部の下面と、の間、並びに本体筒部１２の内周面と、計量カップ１５における小径筒部１５ａの外周面と、の間に一体に形成されている。連絡通路１６の上方は、大径筒部１５ｂにより閉塞されている。
【００２８】
また、本実施形態では、計量カップ１５の周壁部１５ｆに、計量カップ１５内と連絡通路１６とを連通する連通孔１５ｇが形成されている。連通孔１５ｇは、周壁部１５ｆを径方向に貫いている。連通孔１５ｇは、周方向に間隔を空けて複数形成されている。
連通孔１５ｇは、計量カップ１５の大径筒部１５ｂの下端部に形成され、連絡通路１６の上端部に開口している。
連通孔１５ｇは、計量カップ１５の縦断面視において、大径筒部１５ｂの下端部に対して直交する方向に開口している。
【００２９】
連通孔１５ｇは、計量カップ１５を射出成形により製造する際、計量カップ１５の内側を形成する図示されないコア型に、計量カップ１５の外側を形成する図示されないキャビティ型の一部を接触させることにより、その接触部分に形成された喰い切り開口である。このように、連通孔１５ｇを喰い切り開口とすることで、連通孔１５ｇを形成するためのスライドピン等を、金型内に別途配設する必要が無く、計量カップ１５の製造を容易なものにすることができる。
【００３０】
上記した計量容器１を用いて内容物を計量する際には、キャップ１４を本体筒部１２から外した状態で、容器本体１０の胴部をスクイズ変形させる。これにより、容器本体１０の内圧を上昇させることにより、容器本体１０内の内容物が供給筒部１３内に供給される。その後、内容物は供給筒部１３内から連絡通路１６を通して、計量カップ１５の連通孔１５ｇに到達する。
【００３１】
ここで、前述の通り、連絡通路１６の上方が、大径筒部１５ｂにより閉塞されている。このため、仮に容器本体１０を強く押圧することで、内容物が勢いよく連絡通路１６の上端部に到達したとしても、大径筒部１５ｂの下端部が邪魔板として機能することで、内容物が連絡通路１６から上方に向けて外部に勢いよく飛び出すことがない。連絡通路１６の上端部に到達した内容物は、連通孔１５ｇを通して計量カップ１５内に供給される。
【００３２】
そして、本体筒部１２に形成された計量目盛１２ｈにより、所望量の内容物が計量カップ１５内に供給されたことを確認し、容器本体１０のスクイズ変形を解除する。その後に、図２に示すように、例えば乾燥状態のフェイスマスク等の含浸体３０を、計量カップ１５内に浸漬し、内容物を含浸体３０に含浸させる。図示の例では、含浸体３０は内部に内容物を含浸して膨張する。その後、含浸体３０は計量カップ１５内から回収され、所定の用途に用いられる。
なお、含浸体３０は、内部に内容物を含浸した際に膨張しなくてもよい。また、計量カップ１５内に内容物を供給する前に予め、計量カップ１５内に含浸体３０を配置しておいてもよい。
【００３３】
以上説明したように、本実施形態に係る計量容器１によれば、本体筒部１２の内面と、計量カップ１５の外面と、の間に形成された連絡通路１６を通して、供給筒部１３内と計量カップ１５内とを連通しているので、計量カップ１５に、その内側に向けて突出し、かつ内側が供給筒部１３内に連通する吐出筒部を配設する必要が無い。このため、計量カップ１５の内容積を広く確保することが可能になり、内容物を含浸させる含浸体３０を計量カップ１５内に容易に配置することができ、また、仮に内容物が含浸されることで膨張するような含浸体３０を使用したとしても、膨張によって含浸体３０が計量カップ１５内から取出しにくくなるのを防ぐことができる。
【００３４】
また、計量カップ１５の周壁部１５ｆに、計量カップ１５内と連絡通路１６とを連通する連通孔１５ｇが形成されているので、連通孔１５ｇを計量カップ１５内の底面から上方に離間させることが可能になり、容器本体１０のスクイズ変形を解除したときに、計量カップ１５内の内容物が連通孔１５ｇを通して容器本体１０側に逆流しにくくすることができる。
また、計量カップ１５の周壁部１５ｆに連通孔１５ｇが形成されていることから、液面が連通孔１５ｇに達する量の内容物が計量カップ１５内に供給されたとしても、容器本体１０内の負圧を供給筒部１３、連絡通路１６、および連通孔１５ｇを通して計量カップ１５内に及ぼすことによって、連通孔１５ｇの下端より上方に位置する内容物を容器本体１０内に吸い込むことができる。これにより計量カップ１５内に一定量以下の内容物を供給することができる。
以上により、計量カップ１５内に含浸体３０等を容易に配置することができるとともに、内容物を含浸させた含浸体３０を、計量カップ１５内から取出しにくくなることもなく、計量カップ１５の内側空間を有効に利用することができる。
【００３５】
（第二実施形態）
次に、図３および図４を参照し、本発明の第二実施形態に係る計量容器２について説明する。なお、本実施形態においては、第一実施形態における構成要素と同一の部分については同一の符号を付し、その説明を省略し、異なる点についてのみ説明する。
【００３６】
本実施形態に係る計量容器２では、本体筒部２２の底部が、径方向の外側に向かうに従い漸次、上方に向けて延びている。
計量カップ２５の上端部には、径方向の外側に向けて突出する小径フランジ部２５ｂが形成されている。小径フランジ部２５ｂには、小径フランジ部２５ｂを上下方向に貫き、小径フランジ部２５ｂの周方向の延在を分断する挿通孔２５ｄが形成されている。小径フランジ部２５ｂの外周縁は、本体筒部２２の内周面に当接している。計量カップ２５の周壁部２５ｆの外径は、上下方向の全域にわたって同等になっている。
【００３７】
また、計量カップ２５の上端部に連通孔２５ｇが形成されている。連通孔２５ｇは径方向に開口している。連通孔２５ｇは、計量カップ２５に周方向に間隔を空けて複数形成されている。
複数の連通孔２５ｇのうちの１つは、小径フランジ部２５ｂに形成された挿通孔２５ｄと一体に形成されている。また、計量カップ２５の底部における径方向の中央部には、上方に向けて開口し、下方に向けて突出する有底筒状の回収部４０が形成されている。
【００３８】
回収部４０は、計量カップ２５の上面視において円形状をなし、容器軸Ｏと同軸に配置されている。回収部４０の周壁部は、径方向の内側に向かうに従い漸次、下方に向けて延びる外側周壁部４１と、外側周壁部４１の径方向の内端部から、下方に向けて延びる有底筒状の内側周壁部４２と、を備えている。外側周壁部４１および内側周壁部４２はそれぞれ、容器軸Ｏと同軸に配置されている。
【００３９】
そして本実施形態では、図３に示すように、計量カップ２５の底部に、連絡通路１６に連通する回収孔２５ｈが形成されている。回収孔２５ｈは、内側周壁部４２の底部における径方向の中央部に形成され、容器軸Ｏと同軸に配置されている。内側周壁部４２の底部における回収孔２５ｈの開口周縁部には、上方に向けて突出する弁座部４２ａが全周にわたって形成されている。
また本実施形態では、計量カップ２５の底部には、回収孔２５ｈを開閉する弁体５０が配設されている。弁体５０は、回収部４０における内側周壁部４２内に嵌合されている。
【００４０】
弁体５０は、本体筒部２２内と連絡通路１６との連通、およびその遮断を切換える逆止弁である。図３および図４に示すように、弁体５０は、回収部４０における内側周壁部４２内に嵌合された周壁部５１と、周壁部５１の内側に配設されて回収孔２５ｈを開閉する板状の弁体部５２と、弁体部５２の外周面と、周壁部５１の内周面と、を連結する弾性変形可能な連結片５３と、を備えている。
【００４１】
周壁部５１は、回収部４０における内側周壁部４２内にアンダーカット嵌合されている。弁体部５２の下面に、内側周壁部４２の弁座部４２ａが当接している。弁体部５２の下面における径方向の中央部には、下方に向けて突出する弁軸部５４が形成されている。弁軸部５４は容器軸Ｏと同軸に配置され、内側周壁部４２の底部の下面より下方に突出している。
連結片５３は、周方向に間欠的に複数配設され、弁体部５２の外周面と、周壁部５１の内周面と、を径方向に繋いでいる。
【００４２】
なお、弁体５０は、上記した構成に限られず、例えば１つの連結片５３を備える一点弁でもよい。さらに、本実施形態では、内側周壁部４２の底部に着座する弁体部５２を利用することで、回収孔２５ｈを開閉する弁体５０を例に挙げたが、このような態様に限定されるものではなく、例えばボール弁等の他の構成の弁体を採用しても構わない。
【００４３】
また本実施形態では、本体筒部２２に、弁体５０を操作して回収孔２５ｈを開放可能な操作体６０が配設されている。操作体６０は弾性変形可能に形成されている。操作体６０は、本体筒部２２の内周面に沿って上下方向に延びる第１操作片６０ａと、第１操作片６０ａの下端部から径方向の内側に向けて、本体筒部２２内の底面に沿って延びる第２操作片６０ｂと、第１操作片６０ａと第２操作片６０ｂとを連結する連結部６０ｃと、を備えている。
第１操作片６０ａ、第２操作片６０ｂ、および連結部６０ｃは一体に形成されている。
【００４４】
第１操作片６０ａは、表裏面が径方向を向く板状に形成されている。第１操作片６０ａの上端部は、計量カップ２５の挿通孔２５ｄから上方に向けて突出している。第１操作片６０ａの上端部には、径方向の内側に向けて突出する押下部６２が形成されている。
第２操作片６０ｂは、表裏面が上下方向を向く板状に形成されている。第２操作片６０ｂは、計量カップ２５の載置突部１５ｃにおける流通孔１５ｄ内に挿入されている。第２操作片６０ｂの径方向の内端部には、弁体５０の弁軸部５４に当接或いは近接する係合部６３が形成されている。
【００４５】
係合部６３は、図４に示すような上面視で、径方向の外側に向けて窪む曲線状を呈し、弁軸部５４の外周面に沿って延びている。
図３に示すように、連結部６０ｃは、径方向の外側に向けて突の曲面状に形成されている。
図４に示すように、操作体６０の下部には、周方向の両端部から、周方向の外側に向けて突出する一対の弾性片６１が各別に形成されている。
【００４６】
一対の弾性片６１は、第２操作片６０ｂにおける径方向の中央付近に形成されている。弾性片６１は、上面視で径方向の外側に向けて突の曲線状を呈する。
一対の弾性片６１における周方向の外端部は、本体筒部２２内に配設された当接部材４３に各別に係止されている。
【００４７】
当接部材４３は、本体筒部２２内の底面から上方に向けて突出している。当接部材４３は、本体筒部２２内の底面に、周方向に間隔をあけて一対配設されている。一対の当接部材４３は、上面視において、同一直線状に位置するとともに、径方向のうちの第２操作片６０ｂが延びる第１径方向と直交する直交方向に延びている。当接部材４３は、上面視において、第１径方向のうち、容器軸Ｏに対して操作体６０の押下部６２が位置する側にずれて配設されている。
【００４８】
一対の当接部材４３における前記直交方向の両端部のうち、互いに対向する端部には、第１径方向のうち、操作体６０の係合部６３が位置する側に向けて突出する規制壁４３ａが、各別に形成されている。一対の規制壁４３ａは、操作体６０の第２操作片６０ｂにおける周方向の両端部と、各別に近接或いは当接している。
【００４９】
また本実施形態では、図３に示すように、連絡通路１６のうち、回収孔２５ｈと上下方向で対向する部分に、下方に窪む溜まり部１６ａが形成されている。
ここで、本体筒部２２の底部における径方向の中央部には、上方に向けて開口し、下方に向けて突出する椀状の貯留部１６ｂが形成されている。貯留部１６ｂは、容器軸Ｏと同軸に配置されている。この貯留部１６ｂの内側が溜まり部１６ａとなっている。貯留部１６ｂは、容器本体１０の口部１１ａ内に張り出している。貯留部１６ｂの外周面と、本体筒部２２のシール筒１２ｄの内周面と、の間に径方向の隙間が設けられている。
【００５０】
貯留部１６ｂの内面には、上方に向けて突出するとともに径方向に沿って延び、上面に、操作体６０の係合部６３が径方向に摺動自在に配置された被摺動案内部１６ｃが形成されている。被摺動案内部１６ｃにより、溜まり部１６ａが径方向に分断されている。
貯留部１６ｂの底部における径方向の中央部に、貫通孔１２ｉが形成されている。
連絡通路１６のなかで、内容物の流路断面積が溜まり部１６ａにおいて最大となっている。なお、貯留部１６ｂの形状としては、例えば筒状にする等、適宜変更してもよい。
【００５１】
本体筒部２２内の底面には、計量カップ２５の底部が載置される載置壁１６ｄが形成されている。図示の例では、載置壁１６ｄに、計量カップ２５の回収部４０における内側周壁部４２の底部が載置されている。載置壁１６ｄは、本体筒部２２内の底面から上方に向けて突出している。載置壁１６ｄは、周方向に間隔をあけて複数配置されている。載置壁１６ｄは、本体筒部２２内の底面における貯留部１６ｂの開口周縁部、および貯留部１６ｂの内面における外周部にわたって一体に形成されている。載置壁１６ｄの上面は、容器軸Ｏに直交する平坦面となっている。
【００５２】
上記した計量容器２を用いて内容物を計量カップ２５内に計量し、例えば計量カップ２５内の内容物に含浸体３０を浸漬させた後に、内容物が計量カップ２５内に余った際には、操作体６０の押下部６２を下方に向けて押圧する。この操作により、第１操作片６０ａが下方に押し込まれるとともに、第２操作片６０ｂが径方向の内側に押し込まれる。この際、第２操作片６０ｂは、当接部材４３の規制壁４３ａにより、周方向に位置がずれるのを規制される。そして、操作体６０の係合部６３が、被摺動案内部１６ｃの上面を摺動し、径方向の内側に移動する。これにより、係合部６３が、弁体５０の弁軸部５４を径方向の外側或いは上方に向けて押圧する。
【００５３】
このため、弁体部５２を介して外力が加えられた連結片５３が弾性変形し、弁体部５２が径方向の外側或いは上方に向けて変位することで、回収孔２５ｈが開放される。これにより、計量カップ２５内に残留した内容物が、回収孔２５ｈを通して連絡通路１６に回収される。なおこの際、連絡通路１６に回収された内容物は、溜まり部１６ａ内に貯留される。
【００５４】
以上説明したように、本実施形態に係る計量容器２によれば、第一実施形態の計量容器１と同様に、計量カップ２５に、その内側に向けて突出し、かつ内側が供給筒部１３内に連通する吐出筒部を配設する必要が無く、計量カップ２５の内容積を広く確保することができる。
また、計量カップ２５の底部に、回収孔２５ｈが形成されるとともに、回収孔２５ｈを開閉する弁体５０が配設され、本体筒部２２に、弁体５０を操作して回収孔２５ｈを開放可能な操作体６０が配設されている。このため、例えば計量カップ２５内の内容物の量を減らしたいときや、計量カップ２５内の内容物を含浸体３０に含浸させてもなお、計量カップ２５内に内容物が残存しているときに、操作体６０により弁体５０を操作することで回収孔２５ｈを開放し、計量カップ２５内の内容物を、回収孔２５ｈを通して連絡通路１６に回収することができる。
【００５５】
また、回収孔２５ｈと上下方向で対向する部分に、下方に窪む溜まり部１６ａが形成されているので、回収孔２５ｈを通して回収した内容物を溜まり部１６ａに貯留することが可能になり、計量カップ２５から回収孔２５ｈを通して回収できる内容物の量を確保することができる。
【００５６】
また、供給筒部１３内から連絡通路１６に流入した内容物が、連絡通路１６を連通孔１５ｇに向けて流通する過程において、流路断面積が広い溜まり部１６ａを通過することで、内容物の勢いを弱めた後に、連通孔１５ｇに到達させることができる。これにより、計量カップ２５内に流入する内容物の勢いを抑制することが可能になり、計量カップ２５の外側に内容物が飛散するのを防ぐことができる。
【００５７】
なお、本発明の技術範囲は、上記実施形態に限定されるものではなく、本発明の趣旨を逸脱しない範囲において、種々の変更を加えることが可能である。
【００５８】
例えば、上記実施形態においては、計量カップ１５、２５内に計量した内容物に乾燥状態のフェイスマスクの含浸体を浸漬させる使用態様について説明したが、このような態様に限られない。含浸体としてはフェイスマスクに限られず、腕、肩、および背中等の他の部位に用いられるシミ防止、保湿を目的とした医療用塗布具であってもよい。また、化粧水を含浸させるコットン等の化粧用塗布具、洗剤液等を含浸させる洗浄用具、揮散剤を含む芳香液を含浸させる芳香用具等であってもよい。
また、内容物としては、消炎剤、鎮痛剤等であってもよい。また、計量カップ内に所望量の内容物を計量した後に、外部に吐出するような使用態様であってもよい。
【００５９】
また、上記実施形態においては、本体筒部１２、２２および計量カップ１５、２５が、ともに透過性を備えた合成樹脂材料により形成され、本体筒部１２、２２の外周面に計量目盛１２ｈが設けられた構成を示したが、このような態様に限られない。本体容器および計量カップを形成する合成樹脂材料は、透過性を備えていなくてもよい。このような場合には、計量目盛は計量カップの内面に設けることができる。
【００６０】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６１】
１、２  計量容器
１０  容器本体
１１ａ  口部
１２、２２  本体筒部
１３  供給筒部
１５、２５  計量カップ
１５ｆ、２５ｆ  周壁部
１５ｇ、２５ｇ  連通孔
１６  連絡通路
１６ａ  溜まり部
２５ｈ  回収孔
５０  弁体
６０  操作体
【図１】
2018034864.tif 000003
【図２】
2018034864.tif 000004
【図３】
2018034864.tif 000005
【図４】
2018034864.tif 000006